(57)【要約】      （修正有）【課題】情報表示体とドアとの一体感が高く、住空間の美観を損なわない情報表示システムであって、人が外出する際には、ドアに備えられた情報表示体の画面に忘れ物に係る情報を表示して、忘れ物を残したまま外出してしまうことを防止することが可能な情報表示システムを提供する。【解決手段】外出者検知装置１０と、所持品検知装置２０と、忘れ物の有無を判断する忘れ物判断手段を備える情報処理装置と、忘れ物に係る情報を表示する情報表示体４０と、を有する情報表示システム１であって、情報表示体４０が、ドア３０を構成する素材に設けられ、情報を表示可能な画面を有する画面部と、画面部の画面上に設けられ、テクスチャー模様が形成された光透過性模様層と、を有する構成とすることにより、上記課題を解決する。【選択図】図１
2015179463.tif 000002
【特許請求の範囲】
【請求項１】
ドアから外出しようとする人物を検知する外出者検知装置と、
前記人物が所持している物品に付された物品ＩＤを検知する所持品検知装置と、
前記外出者検知装置により検知した人物が外出に際して所持すべき物品の情報と、前記所持品検知装置により検知した物品の情報を照合して、忘れ物の有無を判断する忘れ物判断手段を備える情報処理装置と、
前記情報処理装置が備える忘れ物判断手段により判断された忘れ物に係る情報を表示する情報表示体と、
を有し、
前記情報表示体が、
前記ドアを構成する素材に設けられ、情報を表示可能な画面を有する画面部と、
前記画面部の画面上に設けられ、テクスチャー模様が形成された光透過性模様層と、
を有することを特徴とする情報表示システム。
【請求項２】
前記画面部の画面上および前記ドアを構成する素材の表面上に、前記光透過性模様層を備えることを特徴とする請求項１に記載の情報表示システム。
【請求項３】
情報を表示しない状態の前記画面部の画面の色彩が、前記ドアを構成する素材の表面の色彩と視覚的に同等であることを特徴とする請求項２に記載の情報表示システム。
【請求項４】
前記画面部の画面の外縁部において、前記画面部の画面高さ位置が、前記画面部周囲の前記ドアを構成する素材の表面高さ位置と視覚的に同等であることを特徴とする請求項２または請求項３に記載の情報表示システム。
【請求項５】
前記光透過性模様層が、表面に質感向上のための凹凸を有することを特徴とする請求項１乃至請求項４のいずれか一項に記載の情報表示システム。
【請求項６】
前記光透過性模様層の上に、質感向上のための凹凸を有する光透過性凹凸層を備えることを特徴とする請求項１乃至請求項４のいずれか一項に記載の情報表示システム。
【請求項７】
前記情報処理装置が、通信部、制御部、記憶部を有しており、
前記情報処理装置が備える忘れ物判断手段が、
前記通信部で受信した人物に係る情報と、前記記憶部に記憶されている照合情報に基づき、前記情報処理装置が前記制御部で情報処理して、前記人物に係る人物ＩＤを決定する人物ＩＤ決定ステップと、
前記記憶部に記憶されている照合情報に基づき、前記情報処理装置が前記制御部で情報処理して、前記人物が本来所持すべき物品に係る物品ＩＤを予定物品ＩＤとして決定する予定物品ＩＤ決定ステップと、
前記通信部で受信した物品ＩＤ情報に基づき、前記情報処理装置が前記制御部で情報処理して、前記人物が実際に所持している物品に係る物品ＩＤを実所持品ＩＤとして決定する実所持品ＩＤ決定ステップと、
前記予定物品ＩＤと前記実所持品ＩＤに係る情報に基づき、前記情報処理装置が前記制御部で情報処理して、前記実所持品ＩＤの中に前記予定物品ＩＤが全て含まれているか否かを判断する忘れ物有無判断ステップと、
前記情報処理装置が前記制御部で情報処理して、前記実所持品ＩＤの中に含まれていない前記予定物品ＩＤを忘れ物ＩＤとして決定する忘れ物ＩＤ決定ステップと、
を含むことを特徴とする請求項１乃至請求項６のいずれか一項に記載の情報表示システム。
【請求項８】
前記情報処理装置が、前記情報表示体に表示する忘れ物に係る情報の形態を、人物に応じて変更する情報表示形態変更手段を備えており、
前記情報表示形態変更手段が、前記人物ＩＤに係る情報と前記記憶部に記憶されている照合情報に基づき、前記情報処理装置が前記制御部で情報処理して、前記忘れ物に係る情報を表示する形態を決定する、情報表示形態決定ステップを含むことを特徴とする請求項７に記載の情報表示システム。
【発明の詳細な説明】
【技術分野】
【０００１】
本発明は、人がドアから外出しようとする際に、ドアに備えられた画面に忘れ物に係る情報を表示する情報表示システムに関するものである。
【背景技術】
【０００２】
従来、忘れ物を防止するシステムとして、外出者が所持する物品にＩＣタグ等を付し、このＩＣタグ等と外出者を監視することにより、忘れ物を防止するシステムが各種提案されている（例えば、特許文献１〜４）。
【０００３】
例えば、特許文献１には、ドアに第１のデータタグを付し、生活者に第２のデータタグを携帯させ、生活者がドアに近づいた際に、ドア付近に設置された情報端末に所持予定品のリストを表示するシステムが記載されている。
【０００４】
また、特許文献２には、手荷物に無線デバイスを設け、部屋の出入口と持ち物預かり所の２箇所で無線デバイスの有するＩＤ情報を監視し、持ち物預かり所に手荷物を忘れている場合、部屋の出入口でその旨を警告するシステムが記載されている。
【０００５】
また、特許文献３には、所持品にＩＣチップを付し、そのＩＣチップからの識別信号を玄関に設けられた受信部で受信し、受信した識別信号に基づいて人の所持品の有無を判定し、所持していない物品を玄関用表示ボードに表示させるシステムが記載されている。
【０００６】
また、特許文献４には、所持品に無線タグを付し、外出時には、無線タグの識別子を読み取って、予め規定した所持品チェックリストに基づき、玄関のディスプレイに忘れ物を表示する装置が記載されている。
【先行技術文献】
【特許文献】
【０００７】
【特許文献１】特許第４０６２５１６号公報
【特許文献２】特開２００８−１４０１９６号公報
【特許文献３】特開２０１１−９２３０７号公報
【特許文献４】特開２００４−２４６６９６号公報
【発明の概要】
【発明が解決しようとする課題】
【０００８】
しかしながら、上記のシステムや装置においては、忘れ物等に係る情報を表示する情報表示体はドアとは異なる物品であり、その表示画面とドアとで意匠が異なるため、ドアとの一体感に乏しく、特に、画面に情報等を表示していない時に、住空間の美観を損なうものであった。
【０００９】
本発明は、上記実情に鑑みてなされたものであり、情報表示体とドアとの一体感が高く、住空間の美観を損なわない情報表示システムであって、人がドアから外出しようとする際には、ドアに備えられた情報表示体の画面に忘れ物に係る情報を表示して、忘れ物を残したまま外出してしまうことを防止することが可能な情報表示システムを提供することを目的とする。
【課題を解決するための手段】
【００１０】
すなわち、本発明の請求項１に係る発明は、ドアから外出しようとする人物を検知する外出者検知装置と、前記人物が所持している物品に付された物品ＩＤを検知する所持品検知装置と、前記外出者検知装置により検知した人物が外出に際して所持すべき物品の情報と、前記所持品検知装置により検知した物品の情報を照合して、忘れ物の有無を判断する忘れ物判断手段を備える情報処理装置と、前記情報処理装置が備える忘れ物判断手段により判断された忘れ物に係る情報を表示する情報表示体と、を有し、前記情報表示体が、前記ドアを構成する素材に設けられ、情報を表示可能な画面を有する画面部と、前記画面部の画面上に設けられ、テクスチャー模様が形成された光透過性模様層と、を有することを特徴とする情報表示システムである。
【００１１】
また、本発明の請求項２に係る発明は、前記画面部の画面上および前記ドアを構成する素材の表面上に、前記光透過性模様層を備えることを特徴とする請求項１に記載の情報表示システムである。
【００１２】
また、本発明の請求項３に係る発明は、情報を表示しない状態の前記画面部の画面の色彩が、前記ドアを構成する素材の表面の色彩と視覚的に同等であることを特徴とする請求項２に記載の情報表示システムである。
【００１３】
また、本発明の請求項４に係る発明は、前記画面部の画面の外縁部において、前記画面部の画面高さ位置が、前記画面部周囲の前記ドアを構成する素材の表面高さ位置と視覚的に同等であることを特徴とする請求項２または請求項３に記載の情報表示システムである。
【００１４】
また、本発明の請求項５に係る発明は、前記光透過性模様層が、表面に質感向上のための凹凸を有することを特徴とする請求項１乃至請求項４のいずれか一項に記載の情報表示システムである。
【００１５】
また、本発明の請求項６に係る発明は、前記光透過性模様層の上に、質感向上のための凹凸を有する光透過性凹凸層を備えることを特徴とする請求項１乃至請求項４のいずれか一項に記載の情報表示システムである。
【００１６】
また、本発明の請求項７に係る発明は、前記情報処理装置が、通信部、制御部、記憶部を有しており、前記情報処理装置が備える忘れ物判断手段が、前記通信部で受信した人物に係る情報と、前記記憶部に記憶されている照合情報に基づき、前記情報処理装置が前記制御部で情報処理して、前記人物に係る人物ＩＤを決定する人物ＩＤ決定ステップと、前記記憶部に記憶されている照合情報に基づき、前記情報処理装置が前記制御部で情報処理して、前記人物が本来所持すべき物品に係る物品ＩＤを予定物品ＩＤとして決定する予定物品ＩＤ決定ステップと、前記通信部で受信した物品ＩＤ情報に基づき、前記情報処理装置が前記制御部で情報処理して、前記人物が実際に所持している物品に係る物品ＩＤを実所持品ＩＤとして決定する実所持品ＩＤ決定ステップと、前記予定物品ＩＤと前記実所持品ＩＤに係る情報に基づき、前記情報処理装置が前記制御部で情報処理して、前記実所持品ＩＤの中に前記予定物品ＩＤが全て含まれているか否かを判断する忘れ物有無判断ステップと、前記情報処理装置が前記制御部で情報処理して、前記実所持品ＩＤの中に含まれていない前記予定物品ＩＤを忘れ物ＩＤとして決定する忘れ物ＩＤ決定ステップと、を含むことを特徴とする請求項１乃至請求項６のいずれか一項に記載の情報表示システムである。
【００１７】
また、本発明の請求項８に係る発明は、前記情報処理装置が、前記情報表示体に表示する忘れ物に係る情報の形態を、人物に応じて変更する情報表示形態変更手段を備えており、前記情報表示形態変更手段が、前記人物ＩＤに係る情報と前記記憶部に記憶されている照合情報に基づき、前記情報処理装置が前記制御部で情報処理して、前記忘れ物に係る情報を表示する形態を決定する、情報表示形態決定ステップを含むことを特徴とする請求項７に記載の情報表示システムである。
【発明の効果】
【００１８】
本発明によれば、情報表示体とドアとの一体感が高く、住空間の美観を損なわない情報表示システムであって、人がドアから外出しようとする際には、ドアに備えられた情報表示体の画面に忘れ物に係る情報を表示して、忘れ物を残したまま外出してしまうことを防止することが可能な情報表示システムを提供することができる。
【図面の簡単な説明】
【００１９】
【図１】本発明に係る情報表示システムの一例の概要を説明する図であり、（ａ）は情報非表示の状態、（ｂ）は情報表示の状態を示す。
【図２】本発明に係る情報表示体の一例を説明する図であり、（ａ）は要部正面図、（ｂ）は（ａ）のＡ−Ａ線断面図である。
【図３】本発明に係る情報表示体の他の例を示す概略断面図である。
【図４】図２に示す本発明に係る情報表示体の一例から光透過性模様層を除去した状態を説明する図であり、（ａ）は要部正面図、（ｂ）は（ａ）のＢ−Ｂ線断面図である。
【図５】本発明に係る情報表示システムの処理手順の一例を示すフローチャートである。
【図６】本発明に係る情報表示システムのシステム構成例を示すブロック図である。
【図７】本発明に係る情報表示システムの情報処理装置における処理手順の一例を示すフローチャートである。
【図８】本発明に係る情報表示システムの情報処理装置が有する照合情報テーブルの一例を示す図である。
【発明を実施するための形態】
【００２０】
以下、本発明に係る情報表示システムについて、図面を用いて説明する。
【００２１】
（情報表示システムの概要）
図１は、本発明に係る情報表示システムの一例の概要を説明する図であり、（ａ）は情報非表示の状態、（ｂ）は情報表示の状態を示す。
図１に示すように、情報表示システム１は、ドア３０から外出しようとする人物５０を検知する外出者検知装置１０と、人物５０が所持している物品に付された物品ＩＤを検知する所持品検知装置２０と、外出者検知装置１０により検知した人物が外出に際して所持すべき物品の情報と、前記所持品検知装置２０により検知した物品の情報を照合して、忘れ物の有無を判断する忘れ物判断手段を備える情報処理装置（図示せず）と、前記情報処理装置が備える忘れ物判断手段により判断された忘れ物に係る情報を表示する情報表示体４０と、を有している。
なお、図１に示す例においては、情報表示体４０が有する画面の位置を理解しやすいように、画面の外縁を破線で記しているが、実際には、このような破線は、ドア３０の表面に存在しない。
【００２２】
（情報表示体）
図２は、本発明に係る情報表示体の一例を説明する図であり、（ａ）は要部正面図、（ｂ）は（ａ）のＡ−Ａ線断面図である。
【００２３】
図２に示すように、情報表示体４０は、情報を表示可能な画面を有する画面部４１と、画面部４１の画面上に、テクスチャー模様が形成された光透過性模様層４２と、を備えている。
そして、上記の画面部４１は、ドア３０を構成する素材３１に埋め込むように備えられており、画面部４１の画面上およびドア３０を構成する素材３１の表面上に、共通の光透過性模様層４２が備えられている。
【００２４】
なお、図２（ａ）に示す例においても、情報表示体４０が有する画面の位置を理解しやすいように、画面の外縁４１Ｅを破線で記しているが、実際には、このような破線は、ドア３０の表面に存在しない。
【００２５】
上記のように、情報表示体４０は、画面部４１の画面上にテクスチャー模様が形成された光透過性模様層４２を備えており、さらに、ドア３０を構成する素材３１の表面上にも同じ光透過性模様層４２を備えている。
それゆえ、図１（ａ）に示すように、画面に情報を表示しない状態では、光透過性模様層４２に形成されたテクスチャー模様によって、情報表示体４０とドア３０との一体感が高く、情報表示体４０の存在を識別できないほどに、住空間に自然に溶け込ませることが可能になる。
【００２６】
一方、図１（ｂ）に示すように、画面に情報を表示している状態では、画面に表示する文字や画像等の忘れ物に係る情報を、光透過性模様層４２を透過して、人物５０に視認させることができる。
そして、この画面に情報を表示している状態においても、画面部４１の画面全体が識別できてしまうような表示方法を用いずに、例えば、画面部４１の画面の一部を用いて、適切な位置に、適切な大きさの文字や画像等を表示することで、情報表示が過度にならず、住空間の美観を損なわないようにすることもできる。
【００２７】
すなわち、本発明によれば、住空間を構成する素材との一体感が高く、住空間の美観を損なわない情報表示システムを提供することができる。
【００２８】
なお、図１及び図２に示す例においては、本発明の好ましい形態として、画面部４１の画面上およびドア３０を構成する素材３１の表面上に、共通する一の光透過性模様層４２が備えられている形態を例示しているが、本発明においては、この形態に限定されず、少なくとも、画面部４１の画面上に光透過性模様層４２を備えることによって、ドア３０と一体感が高く、住空間の美観を損なわない情報表示体となるものであれば良い。
【００２９】
例えば、ドア３０を構成する素材３１の表面上に備えられる模様層の光透過性能は、画面部４１の画面上に備えられる光透過性模様層４２の光透過性能と異なるものであっても良い。
すなわち、周囲の素材３１と一体感が高い状態を維持できる限り、画面部４１の画面上に備えられる光透過性模様層４２は、周囲の素材３１の表面上に備えられる模様層と異なる材料から構成されていても良い。
また、一体感が高い状態を維持できる限り、周囲の素材３１の表面は、素材の表面自体が露出した形態であっても良い。
【００３０】
図３は、本発明に係る情報表示体の他の例を示す概略断面図である。
本発明において、情報表示体の表面側には、エンボス加工等、質感を高めるための各種の表面加工が施されていても良い。
【００３１】
例えば、図３（ａ）に示す情報表示体４０ａにおいては、画面部４１がドア３０ａを構成する素材３１に埋め込むように備えられており、画面部４１の画面上およびドア３０ａを構成する素材３１の表面上に、光透過性模様層４２が備えられている。
そして、光透過性模様層４２の表面には、エンボス加工等の表面加工が施され、質感向上のための凹凸が形成されている。
【００３２】
上記のように、情報表示体４０ａにおいては、光透過性模様層４２の表面に質感向上のための凹凸が形成されているため、従来のエンボス加工等の表面加工が施されている壁紙と同様に、質感を高める効果を奏し、住空間の美観をより高めつつ、住空間に自然に溶け込ませることが可能になる。
【００３３】
ここで、上記の凹凸形成は、光透過性模様層４２を構成する樹脂フィルム等の表面に直接加工を施すものであっても良く、また、光透過性模様層４２が、表面に凹凸が形成された層を上記の樹脂フィルム等の上に有する構造であっても良い。
【００３４】
また、本発明においては、光透過性模様層４２とは別に、表面加工した樹脂フィルム等を製造し、光透過性模様層４２の上に、この表面加工した樹脂フィルム等を貼り付けることで、質感を高める効果を奏し、住空間の美観をより高めつつ、住空間に自然に溶け込ませることが可能な情報表示体としても良い。
【００３５】
例えば、図３（ｂ）に示す情報表示体４０ｂにおいては、画面部４１がドア３０ｂを構成する素材３１に埋め込むように備えられており、画面部４１の画面上およびドア３０ｂを構成する素材３１の表面上に、光透過性模様層４２が備えられている。
そして、光透過性模様層４２の上には、その表面４３Ｆに質感向上のための凹凸が形成された光透過性凹凸層４３が備えられている。
【００３６】
なお、煩雑となるのを避けるため、図示はしていないが、光透過性模様層４２と光透過性凹凸層４３の間には、画面部４１の画面に表示される情報の視認を阻害しない範囲において、粘着層等の各種中間層を設けることができる。
【００３７】
光透過性凹凸層４３を構成する材料としては、光透過性模様層４２及び光透過性凹凸層４３を透して画面部４１の画面に表示される情報を視認できるものであれば用いることができ、例えば、透明又は半透明の各種の樹脂フィルム、紙、布、ガラス等を挙げることができる。中でも、樹脂フィルムは、光透過性が高く、安価で、加工性にも優れており、大面積化にも容易に対応できるため、好ましい。
本実施形態において、光透過性凹凸層４３は単層構造であっても良く、また、２層以上の多層構造であってもよい。
【００３８】
上記のような、質感向上のための凹凸を形成する方法には、従来の壁紙に凹凸を形成する方法等を利用することができる。
例えば、光透過性模様層４２又は光透過性凹凸層４３を構成する樹脂フィルムの製膜時に、所望の凹凸とは鏡像関係にある凹凸を形成した金属ロール上に熔融樹脂を押出して冷却することにより、上記樹脂フィルムの表面に所望の凹凸を形成する方法や、光透過性模様層４２又は光透過性凹凸層４３を構成する樹脂フィルムを一旦、表面平滑に製膜した後、その表面側にエンボス加工、サンドブラスト加工、ケミカルエッチング加工等により、所望の凹凸を形成する方法を用いることができる。
【００３９】
以下、本発明に係る情報表示体を構成する各要素について、詳しく説明する。
【００４０】
（画面部）
本発明において、画面部４１には、ドア３０を構成する素材３１に備えることができ、画面上に光透過性模様層４２を設けることで、住空間に自然に溶け込ませることが可能なものであれば用いることができ、例えば、電子ペーパーパネル、液晶ディスプレイパネル、有機ＥＬディスプレイパネル等を挙げることができる。
中でも、電子ペーパーパネルは、電力を消費しない状態、すなわち電源ＯＦＦの状態であっても画面の色を黒色以外の色（例えば白色）に維持することができ、好ましい。
【００４１】
本発明においては、光透過性模様層４２を透して、画面部４１の画面に表示される情報を人物５０に視認させるため、人物５０は、この光透過性模様層４２を透して画面部４１の画面の色彩も視認できることになる。
それゆえ、本発明においては、情報を表示しない状態の画面部４１の画面の色彩が、ドア３０を構成する素材３１の表面の色彩と、想定した照明光の下で視覚的に同等であることが好ましい。情報表示体４０を、より住空間に自然に溶け込ませることが可能になるからである。
ここで、上記の「想定した照明光」とは、ドア３０が設置される環境で主に照射される光を指し、例えば、和室のような明るさであれば、色温度２６００Ｋ〜３１５０Ｋの光、ダイニングルームのような明るさであれば、色温度４６００Ｋ〜５４００Ｋの光、勉強部屋のような明るさであれば、色温度５７００Ｋ〜７１００Ｋの光等である。
【００４２】
例えば、画面部４１に電子ペーパーパネルを用い、電源ＯＦＦ時の画面の色彩を、ドア３０を構成する素材３１の表面の色彩と視覚的に同等に合わせておけば、電源ＯＦＦ時の画面が周囲の素材３１と見分けがつかなくなり、情報表示体４０を、より住空間に自然に溶け込ませることが可能になる。
すなわち、電力の消費を抑制しつつ、ドアとの一体感が高く、住空間の美観を損なわない情報表示体とすることができる。
【００４３】
ここで、電子ペーパーパネルが、電源ＯＦＦの状態であっても画面の色を黒色以外の色（例えば白色）に保持できるのは、表示する情報を切り替える時以外は電力を要しないからである。例えば、ツイストボール方式の電子ペーパーパネルは、半球ごとに白と黒に塗り分けられた球形の粒子に電圧をかけることで、該粒子を回転させて白黒表示を切り替えることで情報を表示するため、粒子を回転させる時以外は電力を必要としない。
【００４４】
本発明においては、電源ＯＦＦの状態の画面の色は白色に限定されず、ドア３０を構成する素材３１に合わせて、適宜選択されることが好ましい。
例えば、画面部４１に上記のツイストボール方式の電子ペーパーパネルを用いる場合には、半球ごとに塗り分ける色を、ドア３０を構成する素材３１に合わせた色と、黒色にする方法を挙げることができる。
【００４５】
なお、本発明においては、上記のツイストボール方式の電子ペーパーパネルに限定されず、電源ＯＦＦ時の画面の色彩を、ドア３０を構成する素材３１の表面の色彩と視覚的に同等に合わせることができる表示パネルであれば、画面部４１として好適に用いることができる。
【００４６】
一方、画面部４１に、液晶ディスプレイパネルや有機ＥＬディスプレイパネルを用いる場合には、通常、電源ＯＦＦの状態では画面の色が黒系の色になる。
それゆえ、このような表示パネルを有する情報表示体４０を、住空間に自然に溶け込ませるためには、情報を表示しない時にも電力を供給し、情報を表示しない状態の画面部４１の画面の色彩が、ドア３０を構成する素材３１の表面の色彩と視覚的に同等になるように画像表示することが好ましい。
例えば、ドア３０を構成する素材３１の表面が白色の場合には、画面部４１の画面も白色に表示して、双方が視覚的に同等になるようにする。
【００４７】
ここで、本発明において、上記の各色彩が「視覚的に同等」とは、画面部４１の画面の色彩と、ドア３０を構成する素材３１の表面の色彩が、同一の場合のみならず、例え、画面部４１の画面の色彩がドア３０を構成する素材３１の表面の色彩と異なる場合であっても、特別な注意や意識を払わなければ見分けがつかないほどに、画面部４１の画面の色彩が、ドア３０を構成する素材３１の表面の色彩と共に、住空間に自然に溶け込んでいる場合も含む概念である。
【００４８】
本発明においては、画面部４１の画面上に、テクスチャー模様が形成された光透過性模様層４２を備えており、人物５０の視覚は、主にこのテクスチャー模様に向けられ、下地の色彩に対する識別力は緩慢になりやすい。
それゆえ、本発明においては、画面部４１の画面の色彩が、周囲のドア３０を構成する素材３１の表面の色彩と厳密には異なる場合であっても、概ね同じ色彩であれば、人物５０はその違いに気付きにくいことになる。
【００４９】
なお、煩雑となるのを避けるため、図２において図示は省略しているが、画面部４１に情報を表示させるためには、通常、画面部４１が電源部や制御部と接続されていることも必要である。
本発明においては、この電源部や制御部も、画面部４１と共にドア３０を構成する素材３１に埋め込むことができる。また、画面部４１とは別に設けて、電力供給や信号送受信の配線を、ドア３０を構成する素材３１に埋め込むようにしても良い。さらに、無線通信により、制御部と信号を送受信する構成としてもよい。制御部と接続されていることにより、画面部４１の画面に表示する情報を自在に制御することができる。
本発明においては、この画面部４１の画面に表示する情報を制御する制御部を、忘れ物の有無を判断する忘れ物判断手段を備える情報処理装置が有する制御部とすることができる。
【００５０】
また、図２においては、画面部４１の画面が平面状である形態を例示しているが、本発明においては、これに限らず、画面部４１の画面は、ドア３０に合わせて曲面を有していても良い。また、同様に、画面部４１の画面の外縁４１Ｅの形態も矩形に限らず、ドア３０に合わせて各種の形態として良い。
【００５１】
また、本発明においては、画面部４１の画面の外縁部において、画面部４１の画面高さ位置と、画面部４１の周囲のドア３０を構成する素材３１の表面高さ位置が、視覚的に同等であることが好ましい。
画面部４１の画面の外縁部を、より目立たなくすることができ、情報表示体４０を、より住空間に自然に溶け込ませることが可能になるからである。
【００５２】
図４は、図２に示す情報表示体４０から光透過性模様層４２を除去した状態を説明する図であり、（ａ）は要部正面図、（ｂ）は（ａ）のＢ−Ｂ線断面図である。
【００５３】
図４に示すように、光透過性模様層４２を除去した状態においては、画面部４１の画面４１Ｆ及びドア３０を構成する素材３１の表面３１Ｆが露出する状態となり、画面４１Ｆの外縁４１Ｅも露になる。図４において、この外縁４１Ｅは、画面４１Ｆと、ドア３０を構成する素材３１の表面３１Ｆとの、境界に相当する。
【００５４】
ここで、画面部４１の画面４１Ｆの高さ位置と、ドア３０を構成する素材３１の表面３１Ｆの高さ位置が異なっている場合、すなわち、外縁４１Ｅを境にして段差を生じている場合、その段差が光透過性模様層４２を介しても視覚的に認知できてしまう程の段差である場合には、外縁４１Ｅが目立つことにより画面部４１の画面の存在が認識されてしまい、ドア３０との一体感が低下してしまう。
それゆえ、画面部４１の画面４１Ｆの外縁部において、画面４１Ｆの高さ位置と、画面部４１の周囲のドア３０を構成する素材３１の表面３１Ｆの高さ位置が、視覚的に同等であることが好ましい。
【００５５】
ここで、本発明において、上記の各高さ位置が「視覚的に同等」とは、画面部４１の画面４１Ｆの高さ位置と、ドア３０を構成する素材３１の表面３１Ｆの高さ位置が、同一の場合のみならず、例え段差を生じている場合であっても、特別な注意や意識を払わなければ、その段差の見分けがつかないほどに、住空間に自然に溶け込んでいる場合も含む概念である。
【００５６】
ここで、本発明においては、図１及び図２に示すように、画面部４１の画面上およびドア３０を構成する素材３１の表面上にテクスチャー模様が形成された光透過性模様層４２を備えた形態とすることができるため、人物５０の視覚は、主にこのテクスチャー模様に向けられ、下地の段差に対する識別力は緩慢になりやすい。
【００５７】
さらに、本発明においては、光透過性模様層４２によって下地の段差を吸収させ、光透過性模様層４２の表面４２Ｆにおいては、高さの違いを生じさせないようにすることもできる。
【００５８】
それゆえ、本発明においては、画面部４１の画面の外縁部において、画面部４１の画面高さ位置と、画面部４１の周囲のドア３０を構成する素材３１の表面高さ位置が、厳密には異なる場合であっても、概ね同じ高さであれば、人物５０はその違いに気付きにくいことになる。
【００５９】
（ドアを構成する素材）
本発明において、ドア３０を構成する素材３１には、ドア３０を構成するものであって、上記の画面部４１を備えることができるものであれば用いることができる。
【００６０】
ここで、ドア３０を構成する素材３１の表面は、素材自体の表面を露出させたものであっても良いが、塗装を施すことや壁紙を設けることによって、人工的に色彩が与えられたものであることが、より好ましい。
人工的に作られた色彩であれば、上記の画面部４１の画面の色彩として再現させることも、より容易になり、画面部４１の画面の色彩とドア３０を構成する素材３１の表面の色彩を、より視覚的に同等なものとし易く、情報表示体４０を、より住空間に自然に溶け込ませることが可能になるからである。
【００６１】
（光透過性模様層）
本発明において、光透過性模様層４２を構成する材料には、テクスチャー模様を形成することができ、かつ、光透過性模様層４２を透して画面部４１の画面に表示される情報を視認できるものであれば用いることができ、例えば、透明又は半透明の各種の樹脂フィルム、紙、布、ガラス等、若しくは、シリコンや金属を含む透明又は半透明の薄膜等を挙げることができる。
中でも、樹脂フィルムは、光透過性が高く、安価で、加工性にも優れており、大面積化にも容易に対応できるため、好ましい。
【００６２】
樹脂フィルムとしては、ポリビニルフルオライド（ＰＶＦ）フィルム、エチレン−テトラフルオロエチレン共重合樹脂（ＥＴＦＥ樹脂）フィルムなどのフッ素樹脂フィルム、ポリカーボネートフィルム、ポリエーテルスルホンフィルム、ポリサルホンフィルム、ポリアリレートフィルム、ポリアクリロニトリルフィルム、アクリル樹脂フィルム、セルロースアセテートフィルム、ガラス繊維強化ポリエステルフィルム、ガラス繊維強化アクリル樹脂フィルム、ガラス繊維強化ポリカーボネートフィルム、その他、ポリエチレンテレフタレートフィルム、ポリプロピレンフィルムなどを使用することができる。
【００６３】
本発明において、光透過性模様層４２は単層構造であっても良く、また、２層以上の多層構造であってもよい。
例えば、光透過性模様層４２は、上記の樹脂フィルム等の中にテクスチャー模様が設けられている構造であってもよく、また、上記の樹脂フィルム等の上にテクスチャー模様層が形成されている構造であってもよい。
さらに、光透過性模様層４２は、上記のテクスチャー模様層を保護するための保護層や、画面部４１の画面やドア３０を構成する素材３１の表面に貼り付けるための粘着層などを有する構造であっても良い。
【００６４】
（テクスチャー模様）
本発明において、光透過性模様層４２にはテクスチャー模様が形成されている。本発明において「テクスチャー（ｔｅｘｔｕｒｅ）模様」とは、ドア３０を構成する素材３１等の表面に設けられ、その素材等の質感を高める作用効果を有する模様である。
【００６５】
例えば、光透過性模様層４２に形成されるテクスチャー模様としては、石目模様、砂目模様、木目模様、タイル貼模様、煉瓦積模様、布目模様、皮絞模様、抽象模様、幾何模様等を挙げることができる。
【００６６】
本発明において、光透過性模様層４２にテクスチャー模様を形成する方法には、従来の壁紙に木目模様等を印刷する方法等を利用することができる。
例えば、公知の着色剤（染料又は顔料）を結着材樹脂とともに溶剤（又は分散媒）中に溶解（又は分散）させて得られる着色インキ、コーティング剤等を用いた印刷法などにより、所望のテクスチャー模様を、光透過性模様層４２を構成する材料の上に形成すればよい。
【００６７】
ただし、光透過性模様層４２を構成する材料は、従来の壁紙とは異なり光透過性を有するものであり、テクスチャー模様を形成した後も、光透過性模様層４２を透して画面部４１の画面に表示される情報を視認できることが必要である。
それゆえ、特に、光透過性模様層４２全面に着色を施すような場合には、この着色を施した後の光透過性模様層４２を透して、画面部４１の画面に表示される情報を視認できるように、着色インキの材料選択や濃度調整をすることが好ましい。
【００６８】
上記の着色剤としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等を挙げることができる。
これらの着色剤は、単独又は２種以上を混合して使用できる。また、これらの着色剤には、シリカ等のフィラー、有機ビーズ等の体質顔料、中和剤、界面活性剤等をさらに配合してもよい。
【００６９】
上記の結着剤樹脂としては、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等を挙げることができる。これらの樹脂は、単独又は２種以上を混合して使用できる。
【００７０】
上記の溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水等の無機溶剤等を挙げることができる。これらの溶剤（又は分散媒）は、単独又は２種以上を混合して使用できる。
【００７１】
テクスチャー模様の形成に用いる印刷法としては、例えば、グラビア印刷法、オフセット印刷法、スクリーン印刷法、フレキソ印刷法、静電印刷法、インクジェット印刷法等を挙げることができる。
その他、手描き法、墨流し法、写真法、転写法、レーザービーム描画法、電子ビーム描画法、金属等の部分蒸着法、エッチング法等を用いたり、他の形成方法と組み合わせて用いたりしてもよい。
【００７２】
（情報表示システムの処理手順）
次に、本発明に係る情報表示システムの処理手順について説明する。
図５は、本発明に係る情報表示システムの処理手順の一例を示すフローチャートである。
【００７３】
図５に示す本発明に係る情報表示システムの一例においては、まず、ドア３０に近づく人物５０を、外出者検知装置１０で検知する（Ｓ１）。
【００７４】
外出者検知装置１０としては、従前公知の人体検知装置、例えば、人物５０が発する赤外線を赤外線カメラで検知する装置や、赤外線を照射してその反射信号から人物５０を検知する装置を用いることができる。
例えば、外出者検知装置１０は、赤外線カメラでドア３０から外出しようとする人物５０の身長を検知し、検知した人物５０の身長に係る情報を、忘れ物判断手段を備える情報処理装置に送信する。
【００７５】
次に、人物５０が所持している物品に付された物品ＩＤを、所持品検知装置２０で検知する（Ｓ２）。
【００７６】
所持品検知装置２０としては、従前公知の物品検知装置、例えば、所持品に付されたＩＣタグと無線で情報を送受信する装置を用いることができる。
例えば、所持品検知装置２０は、無線を送受信できる距離内のＩＣタグの記憶部に記憶されている物品ＩＤ情報を無線で受信することにより、ドア３０から外出しようとする人物５０が所持している物品を検知し、検知した物品ＩＤ情報を、忘れ物判断手段を備える情報処理装置に送信する。
【００７７】
次に、情報処理装置が備える忘れ物判断手段により、外出者検知装置１０により検知した人物５０が外出に際して所持すべき物品の情報と、所持品検知装置２０により検知した物品の情報を照合して、忘れ物の有無を判断する（Ｓ３）。ここで、忘れ物がない場合には、本例における情報表示システムによる処理は終了となる。
一方、忘れ物がある場合には、情報表示体４０に、忘れ物に係る情報を表示し（Ｓ４）、本例における情報表示システムによる処理は終了となる。
【００７８】
なお、通常、この情報表示により忘れ物に気付いた人物５０は、忘れ物を取りにドア３０から離れ、その後、再び外出しようとしてドア３０に近づく。
そして、本例における情報表示システムは、このドア３０に近づく人物５０を再び検知して、上記の処理手順に従って、やはり忘れ物がある場合には、その情報を表示する。
このような流れが、忘れ物がなくなるまで、繰り返されることになる。
【００７９】
なお、図５に示す例においては、外出者を検知するステップ（Ｓ１）の後に、所持品を検知するステップ（Ｓ２）という流れになっているが、本発明においてはこれに限らず、外出者検知装置１０、所持品検知装置２０、それぞれの検知範囲に応じて、先に、所持品を検知し、その後外出者を検知する流れであっても良く、また、外出者検知と所持品検知が同時に行われる流れであっても良い。
【００８０】
（情報表示システムのシステム構成）
次に、本発明に係る情報表示システムのシステム構成について説明する。
図６は、本発明に係る情報表示システムのシステム構成例を示すブロック図である。
【００８１】
図６に示すように、外出しようとする人物５０が所持する物品５１にはＩＣタグ５２が付されている。図示は省略するが、ＩＣタグ５２は、ＩＣタグ通信部、ＩＣタグ制御部、ＩＣタグ記憶部を有しており、所持品検知装置２０からの無線信号をＩＣタグ通信部で受信し、この信号に基づいてＩＣタグ制御部からの指示により、ＩＣタグ記憶部に記憶されている物品ＩＤ情報を、ＩＣタグ通信部から所持品検知装置２０に送信する。
【００８２】
そして、所持品検知装置２０が取得した物品ＩＤ情報は、情報処理装置６０に送信される。また、外出者検知装置１０が取得した人物５０に係る情報も、情報処理装置６０に送信される。
【００８３】
情報処理装置６０は、通信部６１、制御部６２、記憶部６３を有しており、通信部６１で受信した情報と、記憶部６３に記憶されている照合情報６４に基づいて、制御部６２により所定の処理手順に従って、忘れ物を判断する。忘れ物がある場合には、情報処理装置６０は、ドア３０に備えられた情報表示体４０に、忘れ物に係る情報を送信する。
【００８４】
そして、ドア３０に備えられた情報表示体４０は画面部４１の画面に忘れ物に係る情報を表示し、外出しようとする人物５０は、情報表示体４０は画面部４１の画面に表示される情報を視認して、忘れ物があること、及び、忘れ物がどの物品であるかについて知ることができる。
【００８５】
（情報処理装置における処理手順）
次に、本発明に係る情報表示システムの情報処理装置における処理手順について、説明する。
図７は、本発明に係る情報表示システムの情報処理装置における処理手順の一例を示すフローチャートである。また、図８は、本発明に係る情報表示システムの情報処理装置が有する照合情報テーブルの一例を示す図である。
【００８６】
図７に示すように、まず、情報処理装置６０は、通信部６１で受信した人物５０に係る情報と記憶部６３に記憶されている照合情報６４（図８）に基づき、制御部６２で情報処理して、人物５０に係る人物ＩＤを決定する（Ｓ１１）。
例えば、制御部６２は、通信部６１で受信した人物５０の身長に係る情報と、記憶部６３の照合情報６４に登録されている各人物の身長情報を照合し、最も近い身長が登録されている人物が人物５０であると判断して、人物ＩＤを決定する。
【００８７】
次に、情報処理装置６０は、記憶部６３に記憶されている照合情報６４に基づき、制御部６２で情報処理して、決定した人物ＩＤに係る人物が本来所持すべき物品に係る物品ＩＤを予定物品ＩＤとして決定する（Ｓ１２）。
例えば、制御部６２は、上記Ｓ１１のステップで決定した人物ＩＤと、記憶部６３の照合情報６４に登録されている所持すべき物品の物品ＩＤを照合して、予定物品ＩＤを決定する。
【００８８】
また、情報処理装置６０は、通信部６１で受信した物品ＩＤ情報に基づき、制御部６２で情報処理して、外出しようとする人物５０が実際に所持している物品に係る物品ＩＤを実所持品ＩＤとして決定する（Ｓ１３）。
例えば、制御部６２は、通信部６１で受信した、所持品検知装置２０からの物品ＩＤ情報に含まれている物品ＩＤを、人物５０が実際に所持している物品ＩＤであると判断し、実所持品ＩＤを決定する。
【００８９】
次に、情報処理装置６０は、前記予定物品ＩＤと前記実所持品ＩＤに係る情報に基づき、制御部６２で情報処理して、前記実所持品ＩＤの中に前記予定物品ＩＤが全て含まれているか否かを判断する（Ｓ１４）。
ここで、前記実所持品ＩＤの中に前記予定物品ＩＤが全て含まれている場合には、情報処理装置６０による処理は終了となる。
【００９０】
一方、前記実所持品ＩＤの中に前記予定物品ＩＤが全て含まれていない場合には、制御部６２は、前記実所持品ＩＤの中に含まれていない前記予定物品ＩＤを、忘れ物ＩＤとして決定する（Ｓ１５）。
【００９１】
次に、情報処理装置６０は、前記忘れ物ＩＤに係る情報と記憶部６３に記憶されている照合情報６４に基づき、制御部６２で情報処理して、前記忘れ物ＩＤに係る物品を忘れ物として決定する（Ｓ１６）。
例えば、制御部６２は、上記Ｓ１５のステップで決定した忘れ物ＩＤと、記憶部６３の照合情報６４に登録されている所持すべき物品の物品ＩＤを照合して、忘れ物ＩＤと合致するＩＤ番号を有する物品ＩＤに係る物品を、忘れ物であると判断する。
【００９２】
上記のＳ１１〜Ｓ１６に係る一連のステップが、情報表示システム１の情報処理装置６０が備える忘れ物判断手段の処理手順の一例に相当する。
そして、情報表示システム１においては、この後、前記忘れ物判断手段により判断された忘れ物に係る情報が、ドア３０に備えられた情報表示体４０に送信され、情報表示体４０は画面部４１の画面に忘れ物に係る情報を表示し、外出しようとする人物５０は、この情報を視認して、忘れ物があること、及び、忘れ物がどの物品であるかについて知ることになる。
【００９３】
なお、図７に示す例においては、人物ＩＤを決定するステップ（Ｓ１１）の後に、実所持品ＩＤを決定するステップ（Ｓ１３）とする手順になっているが、本発明においてはこれに限らず、実所持品ＩＤを決定するステップ（Ｓ１３）の後に、人物ＩＤを決定するステップ（Ｓ１１）とする手順であっても良く、また、人物ＩＤを決定するステップ（Ｓ１１）と実所持品ＩＤを決定するステップ（Ｓ１３）が同時とする手順であっても良い。
【００９４】
ここで、本発明においては、情報表示体４０の画面に表示する忘れ物に係る情報の形態を、ドア３０から外出しようとする人物５０に応じて変更させることもできる。
例えば、人物５０が子供の場合には、その年齢に応じて、漢字を使わずに平仮名やカタカナと画像で表示する形態や、その身長に応じて、表示する位置を低くする形態をとることができる。
【００９５】
通常、外出の際には、人物５０はドア３０に近接しており、自身の目の高さ位置の表示に対しては気付き易いが、自身の目の高さ位置からかけ離れた高さ位置の表示に対しては気付き難い。特に子供の場合は顕著である。
それゆえ、子供の身長に応じて、表示する位置を低くする形態をとることは、子供が忘れ物をしてしまうことを防止するうえで有益である。
【００９６】
ここで、例えば、ドア３０との一体感に乏しい従前公知の表示体（例えば、従前公知の液晶ディスプレイ）を複数個、子供や大人の身長に合わせてドア３０に設ける場合には、これら複数個の表示体の存在を露骨に感じさせることになり、住空間の美観を損なうことになる。
一方、情報表示体４０は、ドア３０との一体感が高く、情報表示体４０の画面に情報を表示しない状態では、情報表示体４０の存在を識別できないほどに、住空間に自然に溶け込ませることが可能なものである。
それゆえ、例え、情報表示体４０を複数個、子供や大人の身長に合わせてドア３０に設けても、住空間の美観を損なうことはない。
【００９７】
上記のように、本発明において、情報表示体４０の画面に表示する忘れ物に係る情報の形態を、ドア３０から外出しようとする人物５０に応じて変更させる場合の、情報処理装置６０における処理手順（情報表示形態決定手段）について、以下説明する。
【００９８】
本発明において、情報処理装置６０は、例えば、上記Ｓ１６の忘れ物決定ステップの後に、前記人物ＩＤに係る情報と記憶部６３に記憶されている照合情報６４に基づき、制御部６２で情報処理して、前記忘れ物に係る情報を表示する形態を決定する（Ｓ１７）。
より具体的には、制御部６２は、上記のＳ１１のステップで決定した人物ＩＤと記憶部６３の照合情報６４に登録されている表示形態に係る情報を照合して、前記忘れ物に係る情報を表示する形態を決定する。
ここで、図８に示す照合情報６４に登録されている表示形態（Ａ、Ｂ、Ｃ）は、人物ＩＤに係る人物５０の年齢や身長に応じた表示形態を表すものである。
【００９９】
次に、情報処理装置６０は、上記のＳ１６のステップで決定した忘れ物を、上記のＳ１７のステップで決定した情報表示形態で表示することに係る情報を、通信部６１からドア３０に備えられた情報表示体４０に送信する（Ｓ１８）。
【０１００】
そして、情報表示体４０は画面部４１の画面に、上記の手段により決定された情報表示形態で忘れ物に係る情報を表示し、外出しようとする人物５０は、この情報を視認して、忘れ物があること、及び、忘れ物がどの物品であるかについて知ることになる。
【０１０１】
なお、図７に示す例においては、忘れ物ＩＤを決定するステップ（Ｓ１５）の後に、情報処理装置６０が、前記忘れ物ＩＤに係る情報と記憶部６３に記憶されている照合情報６４に基づき、制御部６２で情報処理して、前記忘れ物ＩＤに係る物品を忘れ物として決定するステップ（Ｓ１６）を実行する手順になっているが、本発明においてはこれに限らず、上記のステップＳ１６を省いた手順であってもよい。
例えば、上記のステップＳ１５で決定した忘れ物ＩＤに係る情報さえあれば、情報表示体４０において忘れ物ＩＤに係る物品を表示可能な場合には、上記のステップＳ１６を省くことができる。
【０１０２】
すなわち、情報処理装置６０は、上記のＳ１５のステップで決定した忘れ物ＩＤに係る情報と、上記のＳ１７のステップで決定した情報表示形態（Ａ、Ｂ、Ｃ）に係る情報を、上記のＳ１８のステップで情報表示体４０に送信するものであっても良い。
この場合、情報表示体４０は、前記忘れ物ＩＤに係る情報と前記表示形態（Ａ、Ｂ、Ｃ）に係る情報を情報処理装置６０から受信して、画面部４１の画面に、上記の手段により決定された情報表示形態で、忘れ物に係る情報を表示する。
【０１０３】
以上、本発明に係る情報表示システムについてそれぞれの実施形態を説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【０１０４】
１  情報表示システム
１０  外出者検知装置
２０  所持品検知装置
３０、３０ａ、３０ｂ  ドア
３１  素材
４０、４０ａ、４０ｂ  情報表示体
４１  画面部
４２  光透過性模様層
４３  光透過性凹凸層
５０  人物
５１  物品
５２  ＩＣタグ
６０  情報処理装置
６１  通信部
６２  制御部
６３  記憶部
６４  照合情報
【図３】
2015179463.tif 000003
【図４】
2015179463.tif 000004
【図５】
2015179463.tif 000005
【図６】
2015179463.tif 000006
【図７】
2015179463.tif 000007
【図８】
2015179463.tif 000008
【図１】
2015179463.tif 000009
【図２】
2015179463.tif 000010